(57)【要約】      （修正有）【課題】吸収シートが捲れず、製作が容易で、さらに、吸収シートの着脱も容易に行うことのできる犬猫ペット用トイレを提供する。【解決手段】皿状に形成された定型性のあるトイレ本体２と、液体吸収層３ａの下面に、液体不透過フィルム３ｂを積層して形成した柔軟性のある吸収シート３と、ゴムシート４とで構成し、吸収シート３を、トイレ本体２の底面２ａに、ゴムシート４を介して載置する。また、ゴムシート４を、合成ゴムであるイソプレンゴムで形成する。【選択図】図１
0003131212.tif 000002
【実用新案登録請求の範囲】
【請求項１】
皿状に形成された定型性のあるトイレ本体（２）と、液体吸収層（３ａ）の下面に，液体不透過フィルム（３ｂ）を積層して形成した柔軟性のある吸収シート（３）と、ゴムシート（４）と、を備え、前記吸収シートが，前記トイレ本体の底面（２ａ）に，前記ゴムシートを介して載置されたものである犬猫ペット用トイレ。
【請求項２】
皿状に形成された定型性のあるトイレ本体（２）と、液体吸収層（３ａ）の下面に，液体不透過フィルム（３ｂ）を積層して形成した柔軟性のある吸収シート（３）と、ゴムシート（４）と、を備え、前記吸収シートが，前記トイレ本体の底面（２ａ）に，前記ゴムシートを介して載置され、前記ゴムシートが，合成ゴムであるイソプレンゴムで形成されたものである犬猫ペット用トイレ。
【請求項３】
吸収シート（３）の液体吸収層（３ａ）が紙で形成され、液体不透過フィルム（３ｂ）が合成樹脂フィルムで形成されたものである請求項１または２に記載の犬猫ペット用トイレ。
【請求項４】
ゴムシート（４）が、その上面に複数の衝突部（４ａ）を有するものである請求項１、２または３に記載の犬猫ペット用トイレ。
【請求項５】
長方形ゴムシート（４）の平行する二辺近傍に沿って直線状にそれぞれ配設した少なくとも１個の端スリット（４ｂ）を設け、該端スリット（４ｂ）に対応する吸収シート（３）の折曲端部が端スリット（４ｂ）を介しゴムシート（４）下面に接触する挿入部（３ｃ）を有するものである請求項１〜４のいずれか１に記載の犬猫ペット用トイレ。
【請求項６】
長方形ゴムシート（４）の四隅に配置した仮想直角三角形の斜辺方向斜のスリット（４ｃ）を設け、各斜スリット（４ｃ）に対応する吸収シート（３）の折曲端部が斜スリット（４ｃ）を介してゴムシート（４）下面に接触する挿入部（３ｃ）を有するものである請求項１〜４のいずれか１に記載の犬猫ペット用トイレ。
【考案の詳細な説明】
【技術分野】
【０００１】
本考案は、主として、犬や猫を対象としたペット用のトイレに関するものである。
【背景技術】
【０００２】
近年、犬や猫などのペットを対象としたトイレが多く使用されている。このペット用トイレとして、硬質材製で皿状のトイレ本体の底面に、液体吸収層の下面に液体不透過フィルムを設けてラミネート状に形成した吸収シートを敷いたものがある。
【０００３】
このペット用トイレは、液体吸収層で尿を吸収し、液体不透過フィルムでその尿の漏出を防止するので衛生的であるといった利点がある。
【０００４】
しかし、このペット用トイレは、皿状のトイレ本体の底面に吸収シートを載置しているので、犬や猫が例えば前脚の爪で引っ掻くと、当該吸収シートがトイレ本体から容易に捲れてしまうといった問題がある。
【０００５】
こうした問題を解決するために、これまで、図７乃至図９に示すように、（甲）トイレ本体の縁の一部に折返し部５を形成して溝部５ａを形成し、その溝部５ａに吸収シート６の端部を挟み込んだり（図７）、（乙）トイレ本体８の四隅に切れ目８ａを入れて、その切れ目８ａを利用して吸収シート６を押込んで６ａをとめたり（図８）、あるいは、（丙）吸収シート６の全体を格子状のネット７で上から押さえる（図９）、などの手段が講じられてきた。
【考案の開示】
【考案が解決しようとする課題】
【０００６】
こうした従来の手段では、吸収シート６が捲れてしまうことはないものの、折返し部５や切れ目６ａを形成するなどの必要があるので、製作に手間が掛かるといった大きな問題がある。また、吸収シート６の着脱にも手間が掛かるといった問題もある。
【０００７】
本考案はこうした問題に鑑み創案されたもので、吸収シートが捲れず、製作が容易で、さらに、吸収シートの着脱も容易に行うことのできる犬猫ペット用トイレを提供することを課題とする。
【課題を解決するための手段】
【０００８】
図１乃至図５を参照して説明する。請求項１に記載の犬猫ペット用トイレ１は、皿状に形成された定型性のあるトイレ本体２と、液体吸収層３ａの下面に、液体不透過フィルム３ｂを積層して形成した柔軟性のある吸収シート３と、ゴムシート４と、を備え、前記吸収シート３が、前記トイレ本体２の底面２ａに、前記ゴムシート４を介して載置されたものである。
【０００９】
請求項２に記載の犬猫ペット用トイレ１は、皿状に形成された定型性のあるトイレ本体２と、液体吸収層３ａの下面に、液体不透過フィルム３ｂを積層して形成した柔軟性のある吸収シート３と、ゴムシート４と、を備え、前記吸収シート３が、前記トイレ本体２の底面２ａに、前記ゴムシート４を介して載置され、前記ゴムシート４が、合成ゴムであるイソプレンゴムで形成されたものである。
【００１０】
請求項３に記載の犬猫ペット用トイレ１は、請求項１または２に記載の考案において、吸収シート３の液体吸収層３ａが紙で形成され、液体不透過フィルム３ｂが合成樹脂フィルムで形成されたものである。
【００１１】
請求項４に記載の犬猫ペット用トイレ１は、請求項１、２または３に記載の考案において、ゴムシート４が、その上面に複数の小突部４ａを有するものである。
【００１２】
図１〜５を参考にして説明する。請求項５の記載に係る犬猫ペット用トイレは、請求項１〜４のいずれかに記載の考案において、長方形ゴムシート４四隅に配置した仮想直角三角形の斜辺方向斜のスリット４ｃを設け、各斜スリット４ｃに対応する吸収シート３の折曲端部が斜スリット４ｃを介してゴムシート４下面に接触する挿入部３ｃを有するものである。
【００１３】
図１〜３，図６を参考にして説明する。請求項６の記載に係る犬猫ペット用トイレは、請求項１〜４のいずれかに記載の考案において、長方形ゴムシート４の四隅に配置した仮想直角三角形の斜辺方向斜のスリット４ｃを設け、各斜スリット４ｃに対応する吸収シート３の折曲端部が斜スリット４ｃを介してゴムシート４下面に接触する挿入部３ｃを有するものである。
【考案の効果】
【００１４】
請求項１に記載の犬猫ペット用トイレ１は、吸収シート３が、トイレ本体２の底面２ａに、ゴムシート４を介して載置されるので、当該吸収シート３は、犬や猫が例えば前脚の爪で引っ掻いても捲れることがない。すなわち、ゴムシート４は摩擦係数が大きいため、その下面とトイレ本体２の底面２ａとの間には大きな摩擦抵抗が生じ、また、その上面と吸収シート３（液体不透過フィルム３ｂ）の下面との間にも同様に大きな摩擦抵抗が生じる。従って、犬や猫が吸収シート３を爪で引っ掻いても、吸収シート３は捲れることなく安定姿勢で不動にその位置を保つことができる。
【００１５】
また、この犬猫ペット用トイレ１は、トイレ本体２と吸収シート３との間にゴムシート４を介在させるのみの構成であるため、各部材および全体の形状を簡易なものとすることができ、よって、従来技術と比較して、製作が極めて容易である。
【００１６】
さらに、吸収シート３は、単に、ゴムシート４の上に載せるのみで設置でき、また、ゴムシート４の上から引き上げるのみで取り去ることができるので、その着脱も極めて容易である。
【００１７】
請求項２に記載の犬猫ペット用トイレ１は、請求項１に記載の考案と同様に、吸収シート３が捲れず、また、その製作および吸収シート３の着脱が容易である。また、ゴムシート４が、合成ゴムであるイソプレンゴムで形成されているので、耐久性に優れる。すなわち、このイソプレンゴムは天然ゴムと比較して、紫外線に強いため日焼けし難く、また、アンモニア等と化学反応を起こし難いので、長期間使用しても物性変化し難い。また、アンモニア等と化学反応を起こし難いので、臭気（異臭）の発生も少ないといった利点がある。
【００１８】
請求項３に記載の犬猫ペット用トイレ１は、請求項１および２に記載の考案と同様の効果を発揮する。また、吸収シート３の液体吸収層３ａを紙で形成しているので、製作をさらに容易なものとすることができる。また、不敷布などを使用する場合と比較して、より廉価な製品を提供することができる。この液体吸収層３ａは、再生紙を利用して形成することにより、リサイクル化に貢献できる。さらに、液体不透過フィルム３ｂを合成樹脂フィルムで形成しているので、液体吸収層３ａに吸収された尿の透過を確実に防止することができ、きわめて衛生的である。
【００１９】
請求項４に記載の犬猫ペット用トイレ１は、請求項１乃至３に記載の考案と同様の効果を発揮する。また、ゴムシート４の上面に複数の小突部４ａを設けているので、この小突部４ａがいわゆる引っ掛かり部分を形成し、吸収シート３と当該小突部４ａとの間にさらに大きな摩擦抵抗を発生させることができる。これにより、吸収シート３の捲れをさらに確実に防止することができる。
【００２０】
請求項５及び６に記載の犬猫ペット用トイレ１は、請求項１乃至４に記載の考案と同様の効果を発揮する。また、吸収シート３の折曲端部がスリット４ｂ，４ｃを介してゴムシート３下面に接触する挿入部３ｃとなっているので、犬猫が爪で引掻いてもめくれることがない。
【考案を実施するための最良の形態】
【００２１】
本考案に係る犬猫ペット用トイレ１の一実施形態を、図１乃至図３示す。これは、トイレ本体２、吸収シート３およびゴムシート４で構成される。トイレ本体２は、合成樹脂製で平面長方形の皿状に形成された定型性のあるものである。トイレ本体２の両側端部には把手２ｂを設け、その取扱いを容易なものとしている。
【００２２】
吸収シート３は、液体吸収層３ａの下面に、液体不透過フィルム３ｂを積層して形成した柔軟性のあるものであり、トイレ本体２の底面２ａとほぼ同じ大きさの平面長方形である。なお、本実施形態では、液体吸収層３ａを紙で形成しているが、本考案はこれに限定されるものではなく、吸収性に優れるあらゆる材料（例えば、不敷布）を使用することができる。また、液体不透過フィルム３ｂは、液体吸収層３ａより肉薄の合成樹脂フィルムで形成している。
【００２３】
ゴムシート４は、トイレ本体２の底面２ａおよび吸収シート３とほぼ同じ大きさの平面長方形であり、合成ゴムであるイソプレンゴムで形成した柔軟性のあるものである。このゴムシート４の上面には無数の小突部４ａを一体成形により設けている。
【００２４】
そして、当該ゴムシート４を介して、吸収シート３を、トイレ本体２の底面２ａに載置している。なお、本実施形態におけるゴムシート４の下面は平坦面としているが、上面と同様に小突部４ａを設けることもできる。また、上面および下面に小突部４ａを形成していないものを使用することもできる。さらに、下面のみに小突部４ａを形成したものを使用することも可能である。なお、イソプレンゴムに代えて、他の合成ゴムや天然ゴムを使用することもできる。また、尿としての水分吸収が少なくなるように、ゴム配合剤を選定することも可能である。
【００２５】
本実施形態に係る犬猫ペット用トイレ１は、吸収シート３を、トイレ本体２の底面２ａに、ゴムシート４を介して載置しているので、犬や猫が爪で引っ掻いても捲れることがない。これは、ゴムシート４は摩擦係数が大きいため、その下面とトイレ本体２の底面２ａとの間、およびその上面と吸収シート３（液体不透過フィルム３ｂ）の下面との間に大きな摩擦抵抗が発生するためである。これにより、吸収シート３は常に安定姿勢を保つことができる。
【００２６】
また、この犬猫ペット用トイレ１は、皿状のトイレ本体２と、平面長方形の吸収シート３およびゴムシート４のみから成るため、構成が簡易であり、極めて容易に製作することができる。従って、製作コストも廉価に抑えることができ、実用性に富む。
【００２７】
さらに、吸収シート３は、単に、ゴムシート４の上に載せるのみで設置でき、また、ゴムシート４の上から引き上げるのみで取り去ることができるので、その着脱も極めて容易である。
【００２８】
また、ゴムシート４を、合成ゴムであるイソプレンゴムで形成しているので耐久性に優れる。これは、イソプレンゴムは天然ゴムと比較して、紫外線に強く日焼けし難く、また、アンモニア等と化学反応を起こし難いので、長期間使用しても物性変化し難いことによるものである。また、このイソプレンゴムは、アンモニア等と化学反応を起こし難いので、臭気（異臭）の発生も少ない。
【００２９】
さらに、吸収シート３の液体吸収層３ａを紙で形成しているので、製作をさらに容易とし、より廉価な製品を提供することができる。さらに、液体不透過フィルム３ｂを合成樹脂フィルムで形成しているので、液体吸収層３ａに吸収された尿の透過を確実に防止することができ、衛生的な製品を提供することができる。
【００３０】
また、ゴムシート４の上面に無数の小突部４ａを設けているので、吸収シートと当該小突部４ａとの間にさらに大きな摩擦抵抗を発生させることができ、吸収シートの捲れをさらに確実に防止することができる。
【００３１】
図４及び図５に示す如く、長方形ゴムシート４の平行する二辺近傍に沿って直線状にそれぞれ配設した少なくとも１個の端スリット４ｂを設け、該端スリット４ｂに対応する吸収シート３の折曲端部が端スリット４ｂを介してゴムシート４下面に接触する挿入部３ｃを設けたり、図６に示す如く、長方形ゴムシート４の四隅に配置した仮想直角三角形の斜辺方向の斜スリット４ｃを設け、各斜スリット４ｃに対応する吸収シート３の折曲端部が斜スリット４ｃを介してゴムシート４下面に接触する挿入部３ｃを設ければ、犬や猫が爪で引掻いても、吸収シート３がめくれることがない
【図面の簡単な説明】
【００３２】
【図１】本考案に係る犬猫ペット用トイレの実施形態を示す分解平面図である。
【図２】本考案に係る犬猫ペット用トイレの実施形態を示す分解正面図である。
【図３】本考案に係る犬猫ペット用トイレの実施形態を示す部分拡大断面図である。
【図４】別な実施形態の要部の平面図である。
【図５】図４のＹ−Ｙ相当切断正面図である。
【図６】更に別な実施形態の要部の一部切欠平面図である。
【図７】従来例に係る犬猫ペット用トイレを示す平面図である。
【図８】他の従来例に係る犬猫ペット用トイレを示す平面図である。
【図９】さらに他の従来例に係る犬猫ペット用トイレを示す平面図である。
【符号の説明】
【００３３】
１      犬猫ペット用トイレ
２      トイレ本体
２ａ    底面
２ｂ    把手
３      吸収シート
３ａ    液体吸収層
３ｂ    液体不透過フィルム
３ｃ    挿入部
４      ゴムシート
４ａ    小突部
４ｂ    端スリット
４ｃ    斜スリット
５      折返し部
５ａ    溝部
６      吸収シート
６ａ    押込み
７      ネット
８      トイレ本体
８ａ    切れ目
【図１】
0003131212.tif 000003
【図２】
0003131212.tif 000004
【図３】
0003131212.tif 000005
【図４】
0003131212.tif 000006
【図５】
0003131212.tif 000007
【図６】
0003131212.tif 000008
【図７】
0003131212.tif 000009
【図８】
0003131212.tif 000010
【図９】
0003131212.tif 000011
【手続補正書】
【提出日】平成19年2月19日(2007.2.19)
【手続補正１】
【補正対象書類名】明細書
【補正対象項目名】００１８
【補正方法】変更
【補正の内容】
【００１８】
請求項３に記載の犬猫ペット用トイレ１は、請求項１および２に記載の考案と同様の効果を発揮する。また、吸収シート３の液体吸収層３ａを紙で形成しているので、製作をさらに容易なものとすることができる。また、不織布などを使用する場合と比較して、より廉価な製品を提供することができる。この液体吸収層３ａは、再生紙を利用して形成することにより、リサイクル化に貢献できる。さらに、液体不透過フィルム３ｂを合成樹脂フィルムで形成しているので、液体吸収層３ａに吸収された尿の透過を確実に防止することができ、きわめて衛生的である。
【手続補正２】
【補正対象書類名】明細書
【補正対象項目名】００２２
【補正方法】変更
【補正の内容】
【００２２】
吸収シート３は、液体吸収層３ａの下面に、液体不透過フィルム３ｂを積層して形成した柔軟性のあるものであり、トイレ本体２の底面２ａとほぼ同じ大きさの平面長方形である。なお、本実施形態では、液体吸収層３ａを紙で形成しているが、本考案はこれに限定されるものではなく、吸収性に優れるあらゆる材料（例えば、不織布）を使用することができる。また、液体不透過フィルム３ｂは、液体吸収層３ａより肉薄の合成樹脂フィルムで形成している。